(57)【特許請求の範囲】
【請求項１】
前面に開口部を備えた商品収納庫と、当該開口部を開閉する収納扉と、開口部から商品収納庫に挿脱可能で商品収納庫を区画する仕切板とを備えた自動販売機であって、前記仕切板の側面に凹状溝部を設け、当該仕切板の上下端を前記商品収納庫の取付レールにてガイドし、前記商品収納庫に挿脱する際に当該凹状溝部にて屈曲可能に構成した自動販売機において、
前記凹状溝部は前記仕切板の両面の前後方向にずれた位置に設けられたことを特徴とする自動販売機。
【請求項２】
前記商品収納庫は天面及び底面に前記仕切板を保持する保持部材を備え、前記凹状溝部は前記仕切板を上下方向に縦断するように形成されたものであって、前記仕切板は前記凹状溝部にて左右方向に屈曲可能に構成されていることを特徴とする請求項１に記載の自動販売機。
【請求項３】
前記仕切板に前記凹状溝部を複数設けたことを特徴とする請求項１または請求項２に記載の自動販売機。
【発明の詳細な説明】
【０００１】
【発明の属する技術分野】
本発明は、商品収納庫を区画する仕切板を有する自動販売機に関する。
【０００２】
【従来の技術】
従来、この種自動販売機としては、特開平５−３３４５７２号公報に開示されているものが知られていた。この自動販売機は、商品収納庫の容積を可変にするために、商品収納庫を区画する仕切板の取付位置を変更可能にしたものであって、商品収納庫内に仕切板を案内する取付レールを複数設け、取付レールを任意に選択して仕切板を取り付けることによって、区画された左右の商品収納庫の容積が変更されるものである。
【０００３】
図１０はこうした従来の自動販売機の平面図である。図１０に示すように、この自動販売機１は、外箱２と、この外箱２に外ヒンジ６で軸支され外箱２を開閉する外扉４と、外箱２の内側に形成された商品収納庫３と、商品収納庫３に内ヒンジ７で軸支され商品収納庫３を開閉する収納扉５と、商品収納庫３の天面と下面に配設された取付レール９と、この取付レール９に取り付けることにより商品収納庫３を左右に区画する仕切板８を備えて構成されている。
【０００４】
そして、この自動販売機１における仕切板８の取り付け位置の変更は、仕切板８を前方に引っ張り、取付レール９から離脱させ、その後、別の取付レール９に仕切板８を挿入することにより行われるようになっている。
【０００５】
【発明が解決しようとする課題】
しかしながら、自動販売機１の側方に壁等の障害物があって外扉４及び収納扉５が大きく開放できない場所においては、図１０（ａ）のように内ヒンジ７から離れた位置の仕切板８の着脱は可能であるが、図１０（ｂ）のように内ヒンジ７に近い位置では商品収納庫３と収納扉５との間隔が狭いために、仕切板８を取付けレール９に着脱することができないという不具合を有していた。
【０００６】
本発明は、こうした課題を解決するためになされたものであり、収納扉５が大きく開放できなくても仕切板８の着脱が可能な自動販売機１を提供するものである。
【０００７】
【課題を解決するための手段】
上記課題を解決するため、請求項１にかかる発明は、前面に開口部を備えた商品収納庫と、当該開口部を開閉する収納扉と、開口部から商品収納庫に挿脱可能で商品収納庫を区画する仕切板とを備えた自動販売機であって、前記仕切板の側面に凹状溝部を設け、当該仕切板の上下端を前記商品収納庫の取付レールにてガイドし、前記商品収納庫に挿脱する際に当該凹状溝部にて屈曲可能に構成した自動販売機において、前記凹状溝部は前記仕切板の両面の前後方向にずれた位置に設けられ構成としたことによって、仕切板を商品収納庫に挿脱する際に前記凹状溝部にて屈曲可能であるので、商品収納庫の前方に大きな空間がなくても仕切板を屈曲させて挿脱することができるとともに、前記仕切板の心材の厚さが極端に薄くなる部分をなくして断熱性能が低下することを防止し、容易に屈曲可能とすることができる。
【０００８】
請求項２にかかる発明は、前記商品収納庫は天面及び底面に前記仕切板を保持する保持部材を備え、前記凹状溝部は前記仕切板を上下方向に縦断するように形成されたものであって、前記仕切板は前記凹状溝部にて左右方向に屈曲可能に構成されていることによって、前記凹状溝部が仕切板部を上下方向に縦断するように形成されているので、仕切板の挿脱の際に左右方向に大きく屈曲させることができる。
【０００９】
請求項３にかかる発明は、請求項１または請求項２に記載の発明において、前記仕切板に前記凹状溝部を複数設けたことを特徴とすることによって、前記仕切板が複数の凹状溝部で屈曲するので、より大きく屈曲させることができる。
【００１５】
【発明の実施の形態】
以下、本発明の実施の形態を図を参照して説明する。図１は、本発明の自動販売機の斜視図である。なお、従来と同一構成に関しては同一符号を用いる。
【００１６】
図１に示すように、本発明の自動販売機１は、外箱２と、この外箱２に外ヒンジ６で軸支され外箱２を開閉する外扉４と、外箱２の内側に形成され前面に開口部３０を備えた商品収納庫３と商品収納庫３に後述する内ヒンジ７で軸支され商品収納庫３の開口部３０を開閉する収納扉５とを備えて構成されている。外扉４には、投入された金銭を処理する金銭処理装置４１と、自動販売機１の電装部品を統轄制御する主制御装置４２と、商品収納庫３側から搬出された商品を受け入れ、外扉４の前面に形成された取出口（図示せず）から商品を取り出す際の受け入れ箱である商品受入箱４３などが配置されている。収納扉５には、後述する内ヒンジ７と反対側に設けられた収納扉５を閉じた時のロックを行うロックレバー５２と、収納扉５の下方に複数形成された開閉扉であって商品収納庫３から搬出された商品の自重によって開放して商品の通過を許容する搬出扉５１が設けられている。
【００１７】
図２は、外扉４及び収納扉５を取り外した状態の自動販売機１の正面図である。図２に示すように商品収納庫３の内部には、商品を収納する商品ラック１０が左右方向に所定の間隔Ｐを開けながら複数（本例では５つ）配置されており、この商品ラック１０の下方には複数の商品ラック１０に対応してシュート１１が複数設けられている。商品ラック１０には収納された商品を販売指示に基づき１つづつ搬出するための搬出装置１０ａが設けられており、商品の販売指示があるとその商品に対応する搬出装置１０ａが駆動され商品がシュート１１へ搬出される。シュート１１は搬出された商品を図１に示す収納扉５の搬出扉５１へと導き、商品は搬出扉５１を通過して外扉４の商品受入箱４３へ搬出されるように構成されている。また、図２に示すように商品収納庫３の天面３ａおよび底面３ｂには商品ラック１０の間隔Ｐ毎に仕切板８の挿入をガイドするとともに仕切板８を取り付けるための取付レール９（保持部材）が４つ設けられており、また、右端の商品ラック１０と商品収納庫３の内壁３ｃとの間にも間隔Ｐが設けられ、この部分にも取付レール９が設けられている。仕切板８は取付レール９にその上下端をガイドされながら間隔Ｐに挿入可能に構成されたものであって、複数の間隔Ｐのうち任意の間隔Ｐに挿入可能になっている。また、商品収納庫３内の右下端及び左下端には破線で示す冷熱器１２が設けられており、商品収納庫３内を冷却、加温するようになっている。冷熱器１２は蒸発器１２ａおよび電機ヒータ１２ｂ等を備えて構成されたものであり、蒸発器１２ａは機械室２０に設けられたコンプレッサーユニット２１から供給された冷媒を蒸発させることによって庫内を冷却するものである。そして、仕切板８を任意の間隔Ｐに挿入することにより、商品収納庫３が左右に区画され、左右庫内３１、３２で独立した冷却加温ができ、仕切板８の移動によって左右庫内３１、３２の容積を任意に変更できるように構成されている。
【００１８】
以上の構成において、左の３つの商品ラック１０を冷却し、右の２つの商品ラック１０を加温する例について説明する。図２に示すように、仕切板８を左から３番目の間隔Ｐに挿入して取付レール９に取り付ける。これによって商品収納庫３は、左の３つの商品ラック１０を収納する左庫内３１と、右の２つの商品ラック１０を収納する右庫内３２とに区画される。その後、主制御装置４２にて左庫内３１を冷却、右庫内３２を加温するように設定入力すると、左庫内３１は蒸発器１２ａが、右庫内３２はヒータ１２ｂがそれぞれ運転制御され、庫内毎に冷却加温制御が成されるようになっている。
【００１９】
図３乃至図５は本発明の第１の実施の形態を示した図である。図３に示すように仕切板８は板部材８１の２個所の位置に、両面に対向して上下方向に延びる凹状溝部８５が設けられ、その先端部にシール取付部材８２を取り付けて構成したものである。板部材８１は押し出し形成された断熱パネルであり、心材に硬質の発泡ウレタン８１ｂを備え、表裏面に防湿層を形成するアルミシート８１ａが貼られたものである。このアルミシート８１ａは、アルミ箔、ポリエチレンフィルム、Ｋライナー紙等が貼り合わさって構成されたものであり、防湿性に優れ、屈曲可能でなおかつ曲げ強度や引っ張り強度を十分に備えたものである。シール取付部材８２は、塩ビ樹脂等の硬質樹脂を押し出し成形したしたものであって、その後部に断面コ字状に形成され板部材８１の端部と嵌合して接続される取付部８２ｂを備え、前部に収納扉５の内面と仕切板８とのシールを行うための図示しないシール部材を取り付けるための取付部８２ａを備えて構成されている。なお、この実施の形態に示す仕切板８においては、板部材８１が１枚の押し出し成形された板材を基に構成されているので生産効率が非常に良く、また、仕切板８の奥行寸法に応じて、両面に対向して上下方向に設けられる凹状溝部８５の数を変更することは容易である。
【００２０】
図４は組み立てられた状態の仕切板８の平面図であって、（ａ）は屈曲していない状態の平面図、（ｂ）は屈曲させた状態の平面図である。図４に示すように板部材８１の２個所の位置に両面に対向して上下方向に延びる凹状溝部８５を備える仕切板８においては、仕切板８を屈曲させる際に凹状溝部８５が応力集中によって位置決め及びきっかけを作る拠点の機能を担い、仕切板８が屈曲するようになっている。そして、このときの仕切板８の屈曲角度は屈曲の特性を決定する凹状溝部８５の形状や数によって決まる。このように仕切板８が屈曲することによって、仕切板８を挿脱する際に商品収納庫３の前方に必要なスペースが小さくてすむ。そして、図５に示すように仕切板８を収納扉５に沿うように屈曲させれば、収納扉５を大きく開放させなくても内ヒンジ７に近い部分の仕切板８の着脱が可能となる。
【００２１】
なお、図３に示すように、仕切板８の前方下端にレバー部材１４をビス１５にて回動可能に取り付けて、商品収納庫３下端にはこのレバー部材１４の先端部１４ａを検出するセンサ１３を図２に示すように間隔Ｐごとに配置しておけば、このレバー部材１４の取付位置によって、冷却加温の切換をさせることが可能である。例えば、左庫内３１が冷却専用庫内で、右庫内３２冷却加温設定可能な庫内の自動販売機１の場合、レバー部材１４を回動させ先端部１４ａを下方に突出させたとき、すなわちセンサ１３がレバー部材の先端部１４ａを検出したときには右庫内３２を加温設定とし、先端部１４ａを下方に突出させないとき、すなわちセンサ１３が先端部１４ａを検出しないときは右庫内３２を冷却設定として冷熱器１２を制御させるようにすることで、仕切板８の挿入取付と同時に右庫内３２の設定切換を行うことができる。
【００２２】
次に、図６と図７を用いて第２の実施の形態を説明する。ここで、図６は本実施の形態の仕切板８の斜視図であり、図７は本実施の形態の仕切板８の平面図であって、（ａ）は屈曲していない状態の平面図、（ｂ）は屈曲させた状態の平面図である。第２の実施の形態では、仕切板８は、板部材８１の２個所の位置に、片面に上下方向に延びる凹状溝部８５が設けられ、その先端部に第１の実施の形態で説明したシール取付部材８２を取り付けて構成したものである。板部材８１は、第１の実施の形態で説明した板部材８１と同様、心材に発泡ウレタン８１ｂ、表裏面にアルミシート８１ａが貼り付けられた押し出し成形の断熱パネルである。図７に示すように片面の２個所の位置に上下方向に延びる凹状溝部８５を備える板状部材８１においては、凹状溝部８５において仕切板８が容易に屈曲可能となる。
【００２３】
そして、図７（ｂ）に示すように、前述した第１の実施の形態の仕切板８と同様、仕切板８が２個所で屈曲することによって、仕切板を挿脱する際に商品収納庫３の前方に必要なスペースが少なくてすみ、図５に示すように仕切板８を収納扉５に沿うように屈曲させれば、収納扉を大きく開放させなくても内ヒンジ７に近い部分の仕切板の着脱が可能となる。
【００２４】
また、第２の実施の形態の構成においては、板部材８１の片面に凹状溝部８５を成形するだけで仕切板８を作ることができるので、成形金型の加工工数を少なくすることができ、第１の実施の形態に対して、さらに生産性を向上させることができる。
【００２５】
さらに、図８と図９を用いて第３の実施の形態を説明する。ここで、図８は本実施の形態の仕切板８の斜視図であり、図９は本実施の形態の仕切板８の平面図であって、（ａ）は屈曲していない状態の平面図、（ｂ）は屈曲させた状態の平面図である。第３の実施の形態では、仕切板８は、板部材８１の２個所の位置に、両面の若干異なる位置に上下方向に延びる凹状溝部８５が設けられて曲折部８６が構成され、その先端部に第１の実施の形態で説明したシール取付部材８２を取り付けて構成したものである。板部材８１は、第１の実施の形態で説明した板部材８１と同様、心材に発泡ウレタン８１ｂ、表裏面にアルミシート８１ａが貼り付けられた押し出し成形の断熱パネルである。
【００２６】
こうした両面の若干異なる位置に上下方向に延びる凹状溝部８５を備える板部材８１において、仕切板８を屈曲させる際には、板部材８１の内側と外側で応力集中の起こる位置が異なって分散されるため、心材を破断することなく仕切板８が容易に屈曲可能となる。
【００２７】
そして、図９（ｂ）に示すように、前述した第２の実施の形態の仕切板８と同様、仕切板８が２個所で屈曲することによって、仕切板を挿脱する際に商品収納庫３の前方に必要なスペースが少なくてすみ、図５に示すように仕切板８を収納扉５に沿うように屈曲させれば、収納扉５を大きく開放させなくても内ヒンジ７に近い部分の仕切板８の着脱が可能となる。
【００２８】
また、第３の実施の形態の構成においては、板部材８の両面の前後方向にずれた位置に凹状溝部８５を成形することによって、仕切板８を屈曲させる際に凹状溝部８５に生じる応力集中を内外面で分散させるとともに、心材の厚さが極端に薄くなる部分をなくして断熱性能が低下することを防止することが可能である。
【００２９】
なお、第１乃至第３の実施の形態では、凹状溝部８５によって構成される曲折部８６を２個所設けた例を説明したが、当然に曲折部は２個所に限られたものではなく、１つあるいは３つ以上でも良い。また、凹状溝部８５の形状は実施の形態に示したようにＶ字状の切り欠き溝に限られるものではなく、半丸形や角形等の溝形状であってももちろん良い。また、板部材８１の心材を発泡ウレタン８１ｂを例に説明したが、これに限らず発泡スチロール等他の断熱素材でも構成可能である。また、心材を覆う防湿シートはアルミシート８１ａに限らず、金属薄板や樹脂シートでも構成可能である。また、商品収納庫３を区画する仕切板８は１枚に限られたものではなく、仕切板８を復数枚備え商品収納庫３を複数に区画する自動販売機１も当然構成可能である。
【００３０】
【発明の効果】
以上説明したように本発明によれば、仕切板の上下端を前記商品収納庫の取付レールにてガイドし、仕切板を商品収納庫に挿脱する際に、凹状溝部によって構成される曲折部において屈曲可能であるので、商品収納庫の前方に大きな空間がなくても仕切板を屈曲させて挿脱することができる。また、凹状溝部は前記仕切板の両面の前後方向にずれた位置に設けられたことによって、前記仕切板の心材の厚さが極端に薄くなる部分をなくして断熱性能が低下することを防止するとともに、容易に屈曲可能とすることができる。
【図面の簡単な説明】
【図１】本発明の自動販売機の斜視図である。
【図２】本発明の自動販売機の外扉と収納扉を外した状態の正面図である。
【図３】本発明の第１の実施の形態に関する仕切板の斜視図である。
【図４】本発明の第１の実施の形態に関する仕切板の平面図である。
【図５】本発明の第１の実施の形態に関する自動販売機の平面図である。
【図６】本発明の第２の実施の形態に関する仕切板の斜視図である。
【図７】本発明の第２の実施の形態に関する仕切板の平面図である。
【図８】本発明の第３の実施の形態に関する仕切板の斜視図である。
【図９】本発明の第３の実施の形態に関する仕切板の平面図である。
【図１０】従来の自動販売機の平面図である。
【符号の説明】
１  自動販売機
３  商品収納庫
３ａ  天面
３ｂ  底面
５  収納扉
８  仕切板
８ａ  アルミシート（シート部材）
８ｂ  発泡ウレタン（心材）
９  取付レール（保持部材）
３０  開口部
８５  凹状溝部
【図１】
0004258118.tif 000002
【図２】
0004258118.tif 000003
【図３】
0004258118.tif 000004
【図４】
0004258118.tif 000005
【図５】
0004258118.tif 000006
【図６】
0004258118.tif 000007
【図７】
0004258118.tif 000008
【図８】
0004258118.tif 000009
【図９】
0004258118.tif 000010
【図１０】
0004258118.tif 000011